(57)【要約】    【課題】  簡単な操作で適量の内容物を容易に取り出すことができるキャップを提供することを課題とする。    【解決手段】  キャップ本体と、前記キャップ本体に設けられる注口、及び前記注口からの前記液体容器の内容物の注ぎ出しをスムーズに行うために外部空気を前記キャップ本体内に導入するための空気導入口と、前記キャップ本体の内周壁部のうち前記注口の下方に設けられ、かつ前記注口と連通する液溜まりと、外部空気を前記空気導入口を通じて前記キャップ本体内に圧送するための空気圧送手段と、を備え、前記液体容器を傾けて前記内容物を前記液溜まり内に流入させた後、前記空気圧送手段で前記キャップ本体内に外部空気を圧送することにより前記キャップ本体内に発生する空気圧により前記液溜まり内の内容物が前記注口から外部に注がれるように構成したことを特徴とする。  【選択図】    図５
2006181117.tif 000002
【特許請求の範囲】
【請求項１】
液体容器の口部を塞ぐためのキャップであって、
キャップ本体と、
前記キャップ本体に設けられる注口、及び前記注口からの前記液体容器の内容物の注ぎ出しをスムーズに行うために外部空気を前記キャップ本体内に導入するための空気導入口と、
前記キャップ本体の内周壁部のうち前記注口の下方に設けられ、かつ前記注口と連通する液溜まりと、
外部空気を前記空気導入口を通じて前記キャップ本体内に圧送するための空気圧送手段と、を備え、
前記液体容器を傾けて前記内容物を前記液溜まり内に流入させた後、前記空気圧送手段で前記キャップ本体内に外部空気を圧送することにより前記キャップ本体内に発生する空気圧により前記液溜まり内の内容物が前記注口から外部に注がれるように構成したことを特徴とするキャップ。
【請求項２】
前記空気圧送手段は、手動式であって、空気圧送時に前記空気導入口を開き、かつ、非圧送時に前記空気導入口を閉じる弁体を備えたことを特徴とする請求項１に記載のキャップ。
【請求項３】
前記空気圧送手段は、シリンダーと、前記シリンダー内に位置するピストンを兼ねる押し釦と、を備えたことを特徴とする請求項２に記載のキャップ。
【発明の詳細な説明】
【技術分野】
【０００１】
本発明は、醤油などの内容物を収容する液体容器に取り付けられるキャップに関するものである。
【背景技術】
【０００２】
醤油さしとしては、種々のものが提案されているが（特許文献１等）、液体容器を傾けてキャップの注口から醤油注ぐ場合、液体容器の容量が大きいときは、その液体容器内の醤油の重量が子供等の非力な使用者にとって大きな負担になり、その結果、液体容器の傾斜角度の調整が困難になり、液体容器を傾け過ぎることによって醤油が大量に流出するなどの問題があった。
【０００３】
【特許文献１】実用新案登録第３００６６８７号
【発明の開示】
【発明が解決しようとする課題】
【０００４】
本発明は、上記の点に鑑みてなされたものであって、簡単な操作で適量の内容物を容易に取り出すことができるキャップを提供することを課題とする。
【課題を解決するための手段】
【０００５】
本発明者は、前記課題を解決するために鋭意研究を重ねて完成されたものである。
１．液体容器の口部を塞ぐためのキャップであって、キャップ本体と、前記キャップ本体に設けられる注口、及び前記注口からの前記液体容器の内容物の注ぎ出しをスムーズに行うために外部空気を前記キャップ本体内に導入するための空気導入口と、前記キャップ本体の内周壁部のうち前記注口の下方に設けられ、かつ前記注口と連通する液溜まりと、外部空気を前記空気導入口を通じて前記キャップ本体内に圧送するための空気圧送手段と、を備え、前記液体容器を傾けて前記内容物を前記液溜まり内に流入させた後、前記空気圧送手段で前記キャップ本体内に外部空気を圧送することにより前記キャップ本体内に発生する空気圧により前記液溜まり内の内容物が前記注口から外部に注がれるように構成したことを特徴とするキャップを提供する。
２．前記空気圧送手段は、手動式であって、空気圧送時に前記空気導入口を開き、かつ、非圧送時に前記空気導入口を閉じる弁体を備えたことを特徴とする前記１に記載のキャップを提供する。
３．前記空気圧送手段は、シリンダーと、前記シリンダー内に位置するピストンを兼ねる押し釦と、を備えたことを特徴とする前記２に記載のキャップを提供する。
【発明の効果】
【０００６】
本発明によれば、前記内容物が収容された前記液体容器を傾けることにより前記内容物を前記注口の下方に設けられた前記液溜まり内に流入させた後、前記空気圧送手段で前記キャップ本体内に外部空気を圧送することにより前記キャップ本体内に発生する空気圧により前記液溜まり内の内容物が前記注口から外部に注がれるように構成したので、前記内容物を前記注口に至る手前の前記液溜まり内に溜めることにより、前記内容物を前記注口から注ぐことができ、その結果、前記液体容器を傾ける角度を抑えることができて前記液体容器からの内容物の取り出しが容易になる。
【０００７】
また、前記液溜まりの容量を適宜設定することにより、内容物が不用意に多量に流出するのを防止することができる。
【０００８】
更に、前記空気圧送手段は、手動式であって、空気圧送時に前記空気導入口を開き、かつ、非圧送時に前記空気導入口を閉じる弁体を備えれば、前記空気圧送手段を使用しないときには、空気取り入れ口を弁で閉じることによって内容物が不用意に流出するのを防止でき、また、上述のように注ぎ出しが終わった後は、前記注口を閉じることによって内容物の液切りが可能になる。
【０００９】
更に、前記空気圧送手段は、シリンダーと、前記シリンダー内に位置するピストンと、前記キャップ本体の上方に位置して前記ピストンを操作する押し釦と、を備えるようにすれば、人差し指で押し釦を押しながら残りの指で液体容器を傾けることができ、片手操作が可能になる。
【発明を実施するための最良の形態】
【００１０】
以下、本発明に係るキャップの実施形態について図面を参照しつつ説明する。
【００１１】
図１乃至図５のようにキャップＡは、醤油等の液状の内容物Ｂを収容する液体容器Ｃの口部Ｃ１を塞ぐものであって、注口１及び空気導入口２を有するキャップ本体３と、空気導入口２を通じて外部空気をキャップ本体３内に圧送するための手動式の空気圧送手段４と、を備えている。  
【００１２】
キャップ本体３は断面円形であって、周壁部の一部が外側に突出させて突出部５を形成することにより、注口１の下方のキャップ本体３の内壁側に、注口１と連通する液溜まり６が形成されている。また、キャップ本体３の下端部には液体容器Ｃの口部Ｃ１に設けられた雄ねじ部Ｃ２と螺合する雌ねじ部７が形成されている。注口１は棒状に形成され、上方に湾曲している。
【００１３】
キャップ本体３にはガイド８が取り付けられている。該ガイド８はキャップ本体３の外周面に密着させ、かつ、該外周面を囲むように取り付けられ、かつ、キャップ本体３から上方に向けて立ち上がり、また、ガイド８の外周面に嵌合突起８１が設けられている。
【００１４】
空気圧送手段４は、シリンダー９と、キャップ本体３の上方に位置し、かつ、シリンダー９内に往復動自在に配設されるピストンを兼ねる押し釦１０と、を備えている。シリンダー９には吸込弁１１及び吸込口１２を備えた吸込部１３が設けられ、キャップ本体３の空気導入口２には吐出部１４が取り付けられるようになっている。
【００１５】
吐出部１４は、押し釦１０の下面から垂設される弁支持桿１５と、弁支持桿１５の下端に形成される吐出弁１６と、吐出弁１６を往復動自在に収容する弁座１７付きの筒状弁収容体１８と、筒状弁収容体１８と押し釦１０との間に介在して押し釦１０及び吐出弁１６を復帰させるための圧縮ばねＳと、を備えている。吐出部１４の弁収容体１８の下端は、図外のパッキンを介してキャップ本体３の空気導入口２に着脱自在に接続されている。
【００１６】
押し釦１０の外周にはシリンダー９との間の気密性を保持するための図外のリング状パッキンが取り付けられている。
【００１７】
シリンダー９の下部の内周面には嵌合凹所９１が形成されている。シリンダー９には該シリンダー９の下端から上方に向けて切り欠かれる切り欠き部９２が形成され、該切り欠き部９２によってキャップ本体３の突出部５を回避するようになっている。
【００１８】
シリンダー９は、ガイド８に図外のパッキンを介して気密的に外嵌され、シリンダー９の嵌合凹所９１はガイド８の嵌合突起８１に着脱自在に嵌合される。また、シリンダー９の切り欠き部９２はキャップ本体３の突出部５の外周部に図外のパッキンにより気密的に接合されている。
【００１９】
そして、シリンダー９と押し釦１０とキャップ本体３とで囲まれる空間１９が形成されている。
【００２０】
このように構成されるキャップＡは、図３のように液体容器Ｃの口部Ｃ１の雄ねじ部Ｃ２にキャップＡの雌ねじ部７が螺合されることにより、該口部Ｃ１に着脱自在に取り付けられる。
【００２１】
そして、図４のように内容物Ｂが収容された液体容器Ｃを傾けることにより内容物Ｂを液溜まり６内に流入させる。そして、この状態で、図５（ｂ）のように押し釦１０を下方に押し込むことにより、吐出弁１６が開放されると共に、空間１９内の空気がキャップ本体３及び液体容器Ｃ内に圧送され、これにより発生する空気圧により液溜まり６内の内容物Ｂを注口１から外部に注がれる。また、液溜まり６内の内容物Ｂが外部に注がれることにより、液体容器Ｃの内容物Ｂが速やかに液溜まり６に流入するので、液溜まり６の内容物Ｂを次々と注ぐことも可能である。
注口１から内容物Ｂの流出を止める場合には、液体容器Ｃの傾斜角度を小さくして液溜まり６への内容物Ｂの流入を停止させる。また、それと共に図５（ａ）のように押し釦１０への押圧力を解除して圧縮ばねＳで押し釦１０を上動させることによって吐出弁１６が閉じられるので、注口１での内容物Ｂの液切れをスムーズに行うことができる。また、押し釦１０の上動により吸込弁１１が開いて、外部空気が空間１９内に導入される。
【００２２】
なお、空気圧送手段４として、筒状のベロー体（図示省略）を用い、押し釦１０で前記ベロー体に圧縮力を加えて外部空気を圧送するようにしても良い。
【００２３】
また、空気導入口２を液溜まり６の方向に向くように設定し、空気導入口２から噴射される空気流を液溜まり６内に内容物Ｂを当てて注口１に押し流すようにしても良い。
【図面の簡単な説明】
【００２４】
【図１】本発明の実施形態に係るキャップの分解した斜視図である。
【図２】同キャップの組立状態を示す斜視図である。
【図３】同キャップの断面図である。
【図４】同キャップの付いた液体容器を傾けた状態を示す断面図である。
【図５】同キャップの動作を説明する断面図である。
【符号の説明】
【００２５】
Ａ        キャップ
Ｂ        内容物
Ｃ        液体容器
１        注口
２        空気導入口
３        キャップ本体
４        空気圧送手段
【図１】
2006181117.tif 000003
【図２】
2006181117.tif 000004
【図３】
2006181117.tif 000005
【図４】
2006181117.tif 000006
【図５】
2006181117.tif 000007